(57)【要約】  パケットデータを送信すると共に、パケットデータの送信に関連した制御情報を送信することができるパケットデータ制御チャンネルを有する移動通信システムにおけるパケットデータ制御チャンネル（Ｆ−ＰＤＣＣＨ）受信装置及びこれを用いた方法を提供する。Ｆ−ＰＤＣＣＨ受信器において、復号部は、受信されたシンボルを復号し、情報語及び２つの経路メトリック間の差の絶対値を計算する。誤警報減少部は、復号部から受信された絶対値をあらかじめ設定されたしきい値と比較して、比較の結果に従って誤警報が発生するかどうかを示す復号値を出力する。任意送信区間検出器は、復号部から受信された絶対値に基づいて任意送信区間を検出する。
2007507974.tif 000002
【特許請求の範囲】
【請求項１】
パケットデータを送信すると共に、前記パケットデータの送信に関連した制御情報を送信することができるパケットデータ制御チャンネルを有する移動通信システムにおけるパケットデータ制御チャンネル受信装置であって、
前記パケットデータ制御チャンネルを介して受信されたシンボルを復号し、復号された情報語及び前記情報語の復号確率値を出力するパケットデータ制御チャンネル復号部と、
前記情報語の復号確率値をあらかじめ設定されたしきい値と比較して、前記比較の結果に従って復号有効性値を出力する誤警報減少部と、
前記復号有効性値に従って前記情報語の出力をスイッチングするスイッチと
を具備することを特徴とする装置。
【請求項２】
前記パケットデータ制御チャンネル復号部は、
生存経路の経路メトリックと競争経路の経路メトリックとの差の値を用いて、前記情報語の確率値を計算することを特徴とする請求項１記載の装置。
【請求項３】
前記誤警報減少部は、
前記情報語の復号確率値をあらかじめ設定されたしきい値と比較する比較器と、
前記比較器の出力に従って、復号有効性を判断して復号有効性値を出力する誤警報測定器と
を具備することを特徴とする請求項１記載の装置。
【請求項４】
前記パケットデータ制御チャンネルが複数のスロット長を有する場合、任意送信区間を検出するための任意送信区間検出器をさらに備える請求項１記載の装置。
【請求項５】
前記パケットデータ制御チャンネル復号部から出力された情報語を用いて巡回冗長検査（ＣＲＣ）検査部を遂行し、前記ＣＲＣ検査の結果を前記任意送信区間検出器へ出力するＣＲＣ検査部をさらに備えることを特徴とする請求項４記載の装置。
【請求項６】
前記任意送信区間検出器は、前記ＣＲＣ検査部の出力がエラーを示すと、送信区間情報をデータの送信がないことを示す値に設定することを特徴とする請求項５記載の装置。
【請求項７】
前記誤警報減少部は、
前記情報語の復号確率値を複数のスロット長に従ってあらかじめ設定された各しきい値と比較する比較器と、
前記比較器の出力に従って、復号有効性を判断して復号有効性値を出力する誤警報測定器と
を具備することを特徴とする請求項４記載の装置。
【請求項８】
前記パケットデータ制御チャンネル復号部は、
前記受信されたシンボルを復号して、復号された情報語を出力するビタビ復号器と、
前記ビタビ復号器から出力された情報語の確率値を計算する計算器と
を具備することを特徴とする請求項１記載の装置。
【請求項９】
前記計算器は、
次のような式を使用して前記情報語の確率値を計算することを特徴とする請求項８記載の装置。
【数１】
2007507974.tif 000013
ここで、λｓｕｒｖ（Ｌ）は、情報語の長さを示すＬ番目のブランチのゼロ状態での生存経路の経路メトリックを示し、λｃｏｍｐ（Ｌ）は、Ｌ番目のブランチのゼロ状態での競争経路の経路メトリックを示し、Ｘは、送信側から送信されたシーケンスを示し、Ｙは、前記パケットデータ制御チャンネルを介して受信されたシーケンスを示す。
【請求項１０】
パケットデータを送信すると共に、前記パケットデータの送信に関連した制御情報を送信することができるパケットデータ制御チャンネルを有する移動通信システムにおける前記パケットデータ制御チャンネルを受信する受信装置が、前記パケットデータ制御チャンネルの受信エラーを減少させるための方法であって、
前記パケットデータ制御チャンネルを介して受信されたシンボルを復号し、前記復号された情報語及び前記情報語の復号確率値を出力するステップと、
前記情報語の復号確率値をあらかじめ設定されたしきい値と比較し、前記比較の結果に従って復号有効性値を出力するステップと、
前記復号有効性値に従って前記情報語の出力をスイッチングするステップと
を具備することを特徴とする方法。
【請求項１１】
前記情報語の確率値は、
生存経路の経路メトリックと競争経路の経路メトリックとの差の値を用いて計算することを特徴とする請求項１０記載の方法。
【請求項１２】
前記復号有効性値は、
前記情報語の復号確率値をあらかじめ設定されたしきい値と比較して、前記復号有効値を判断した結果であることを特徴とする請求項１０記載の方法。
【請求項１３】
前記パケットデータ制御チャンネルが複数のスロット長を有する場合、任意送信区間を検出するステップをさらに具備することを特徴とする請求項１０記載の方法。
【請求項１４】
前記情報語を用いて、ＣＲＣ検査を遂行した後に、前記ＣＲＣ検査の結果値を出力するステップをさらに備えることを特徴とする請求項１３記載の方法。
【請求項１５】
前記ＣＲＣ検査の結果値を出力するステップは、
前記ＣＲＣ検査の結果値がエラーを示すと、送信区間情報をデータの送信がないことを示す値に設定することを特徴とする請求項１４記載の方法。
【請求項１６】
前記復号有効性値は、
前記情報語の復号確率値を複数のスロット長に従ってあらかじめ設定されたそれぞれのしきい値と比較して、前記復号有効性を判断した結果であることを特徴とする請求項１３記載の方法。
【請求項１７】
前記情報語の復号確率値を出力するステップは、
前記受信されたシンボルをビタビ復号し、復号された情報語を出力するステップと、
前記ビタビ復号された情報語の確率値を計算するステップと、を具備することを特徴とする請求項１０記載の方法。
【請求項１８】
前記情報語の確率値は、次のような式を使用して計算されることを特徴とする請求項１７記載の方法。
【数２】
2007507974.tif 000014
ここで、λｓｕｒｖ（Ｌ）は、情報語の長さを示すＬ番目のブランチのゼロ状態での生存経路の経路メトリックを示し、λｃｏｍｐ（Ｌ）は、Ｌ番目のブランチのゼロ状態での競争経路の経路メトリックを示し、Ｘは、送信側から送信されたシーケンスを示し、Ｙは、前記パケットデータ制御チャンネルを介して受信されたシーケンスを示す。
【発明の詳細な説明】
【技術分野】
【０００１】
本発明は、移動通信システムにおけるパケットデータ制御チャンネルを受信する装置及び方法に関し、特に、符号分割多元接続システムにおいて、順方向に送信されるパケットデータの制御信号を送信するのに使用されたパケットデータ制御チャンネルの受信エラーを克服するための順方向パケットデータ制御チャンネル受信装置及び方法に関する。
【背景技術】
【０００２】
最近では、既存の音声及び短文メッセージサービスを支援することができる移動通信システムは、音声サービスだけでなく、高速パケットデータ及び動画サービスなどのようなマルチメディアサービスを支援することができる移動通信システムに発展していっている。例えば、パケットデータサービスを提供する移動通信システムは、パケットデータサービスのみを提供するＣＤＭＡ２０００  １ｘＥＶ−ＤＯ（First Evolution-Data Only）システムと音声及びパケットデータサービスを提供するＣＤＭＡ２０００ １ｘＥＶ−ＤＶ（First Evolution-Data Voice）システムとを含む。このようなパケットデータサービスを提供する移動通信システムは、ＣＤＭＡ２０００ １ｘＥＶ−ＤＶシステムを意味する。上記ＣＤＭＡ２０００ １ｘＥＶ−ＤＶシステムは、移動端末機へパケットデータを送信するための順方向パケットデータチャンネル（Forward Packet data channel；以下、Ｆ−ＰＤＣＨと称する）と、上記順方向パケットデータチャンネルと同期した上記パケットデータの制御信号を送信するための順方向パケットデータ制御チャンネル（Forward Packet data control channel；以下、Ｆ−ＰＤＣＣＨと称する）とを使用する。このようなＦ−ＰＤＣＨとＦ−ＰＤＣＣＨとの関係を添付図を参照して説明すると、次の通りである。
【０００３】
図１は、一般的なＣＤＭＡ２０００ １ｘＥＶ−ＤＶシステムの構成を示す図である。
【０００４】
図１に示すように、基地局（base station；ＢＳ）１０の下位には、複数の移動端末機（Mobile Station；ＭＳ）２１、２２、２３が存在する。基地局１０は、下位の特定の移動端末機へ順方向高速パケットデータを送信するために、順方向高速パケットデータチャンネルであるＦ−ＰＤＣＨを介してデータを送信する。
【０００５】
Ｆ−ＰＤＣＣＨは、サービスを受ける移動端末機２１、２２、及び２３へ送信されるパケットがある場合に基地局１０が送信しなければならない制御メッセージを運搬する物理チャンネルである。上記Ｆ−ＰＤＣＣＨは、送信パケットを運搬するＦ−ＰＤＣＨ（Forward Packet Data Channel）と同一の送信開始時点（transmission instant）を有する。すなわち、高速パケットデータを送信するためには、基地局１０は、Ｆ−ＰＤＣＨとともにＦ−ＰＤＣＣＨを送信しなければならない。上記Ｆ−ＰＤＣＣＨは、１．２５ｍｓｅｃ（１スロット）、２．５ｍｓｅｃ（２スロット）、及び５．０ｍｓｅｃ（４スロット）の３種類の送信区間（slot format）を有する。上記送信区間は、基地局１０のスケジューラーによって、チャンネル情報（キャリア対雑音比（Carrier to Noise ratio；ＣＮＲ））及びキャリア対干渉比（Carrier to Interference ratio；ＣＩＲ））及び送信データが貯蔵されるバッファの状態を組み合せることによって、送信時点ごとに選択される。ここで、基地局１０は、サービスを受ける移動端末機２１、２２、及び２３へ自身が定めたＦ−ＰＤＣＣＨの送信区間情報（Slot Format Information；ＳＦＩ）を送信しない。従って、移動端末機２１、２２、及び２３のＦ−ＰＤＣＣＨ受信器は、Ｆ−ＰＤＣＣＨ受信信号から基地局１０が決定した送信区間情報を検出しなければならない。このような移動端末機の送信区間検出方式を“ブラインド送信区間検出方式（Blind Slot Format Detection；ＢＳＦＤ）”と称する。
【０００６】
図２は、一般的なＣＤＭＡ２０００ １ｘＥＶ−ＤＶシステムにおける順方向パケットデータ制御チャンネルの構成を示す図である。
【０００７】
図２において、１スロットフォーマット、２スロットフォーマット、４スロットフォーマットは、それぞれｎ＝１、ｎ＝２、ｎ＝４で示される。１ｘ  ＥＶ−ＤＶシステムにおいて、Ｆ−ＰＤＣＣＨを介して送信された１３ビットの順方向パケットデータ制御チャンネル情報ビットは、制御メッセージを意味する。上記Ｆ−ＰＤＣＣＨは、送信チャンネルから発生する雑音から送信される１３ビットの制御メッセージ、すなわち、順方向パケットデータ制御チャンネル情報ビット（Forward Packet Data Control Channel Information Bits）（１３ビット）から発生するエラーを訂正するために、畳込み符号（Convolutional codes）を使用し、エラー検出（error detection）のために、巡回冗長検査（Cyclic Redundancy Check；ＣＲＣ）を使用する。
【０００８】
図２に示すように、上記制御メッセージは、加算器３１に入力される。また、１ｘＥＶ−ＤＶシステムは、同期式システムであるので、基準時間に同期したシステムタイム（system time）は、オフセット値選択器４１に入力される。上記システムタイムは、順方向パケットデータ制御チャンネルを介して送信された情報ビットをランダム化して、上記ランダム化した情報ビットをランダムシーケンスに転換するために使用される。従って、１３ビットの乱数を１．２５ｍｓｅｃごとにシステムタイムから受信する。これに従って、オフセット値選択器４１は、上記システム時間に同期したＭＡＣ＿ＩＤ（ＭＡＣ＿ＩＤ；Medium Access Control layer IDentification）結合器３２にオフセットを入力する。
【０００９】
ＭＡＣ＿ＩＤ結合器３２は、ユーザを区分するための８ビットのＭＡＣ＿ＩＤを受信する。ＭＡＣ＿ＩＤ結合器３２におけるＭＡＣ＿ＩＤでカバーされた８ビットのＣＲＣを“内部フレーム条件インジケータ（Inner Frame Quality indicator）”と称し、他の８ビットのＣＲＣを“外部フレーム条件インジケータ（Outer Frame Quality indicator）”と称する。上記外部フレーム条件インジケータは、ＭＡＣ＿ＩＤ（Medium Access Control layer Identification；以下、ＭＡＣ＿ＩＤと称する）と呼ばれる８ビットの２進パターンにより、排他的論理和（Exclusive−OR）を通じて送信される。このように、ＭＡＣ＿ＩＤ結合器３２で、制御メッセージとＭＡＣ＿ＩＤとの排他的論理和を求める理由は、２重ＣＲＣ（double CRC）を使用するためである。従って、上記外部フレーム条件インジケータは、“８−ｂｉｔ ＣＲＣ−ｃｏｖｅｒｅｄ ＭＡＣ＿ＩＤ”で示される。ここで、ＭＡＣ＿ＩＤは、基地局が移動端末機を認識するのに使用される固有の番号を意味する。
【００１０】
ＭＡＣ＿ＩＤ結合器３２から出力された情報は、ＣＲＣ付加器３３へ入力される。ＣＲＣ付加器３３は、受信器が受信された制御メッセージのエラーを判定するために、８ビットのＣＲＣをＭＡＣ＿ＩＤ結合器３２から出力された情報に付加する。ＣＲＣ付加器３３から出力された情報は、テールビット付加器３４へ入力される。テールビット付加器３４は、ＣＲＣが付加された情報に８ビットのテールビットを付加する。ここで、付加されたテールビットは、畳込み符号のゼロ状態終了（Zero state termination）のために使用される。このようなＣＲＣ構成に関する詳細な内容、及び細部ブロックに関する内容については、簡単に説明する。１３ビットの情報語及び８ビットのテールビットがすべて受信されると、畳込み符号は、トレリス（Trellis）のゼロ状態で経路進行が常に終了する。テールビット付加器３４から出力された情報は、畳込み符号化器３５へ入力される。畳込み符号化器３５は、順方向パケットデータ制御チャンネルの無線環境で発生する雑音に基づいて送信される制御メッセージのエラーを訂正するための符号化を遂行する。このとき、符号化率は、送信区間に従い異なって設定される。
【００１１】
畳込み符号化器３５の出力は、シンボル反復器３６でシンボル反復され、シンボルパンクチュア３７でシンボルパンクチュアリングされ、シンボルパンクチュア３７の出力は、ブロックインターリーバ３８へ入力される。ブロックインターリーバ３８は、送信区間に従って、入力されたシンボルをブロックインターリービングし、ブロックインターリービングされたシンボルは、信号点マッパー（mapper）３９で信号マッピングされる。このように、ブロックインターリービングされた後のマッピングされたシンボルは、チャンネル利得器４０でチャンネル利得と乗じられ、順方向パケットデータ制御チャンネルを介して送信される。
【００１２】
そして、Ｆ−ＰＤＣＨのための制御メッセージ以外に、受信器は、ＣＤＭＡ送信器が使用したウォルシュカバー（Walsh Cover）に関する情報を正確に認識するための情報を送信することができる。このような情報は、基地局１０に接続された移動端末機２１、２２、又は２３へ基地局１０が使用したウォルシュ情報を送信するのに使用され、これを“ウォルシュマスク（Walsh Mask）”と称し、上記ウォルシュマスクのために１３ビットの情報が使用される。すなわち、ＭＡＣ＿ＩＤ８ビットがすべて“０”である場合、基地局１０は、Ｆ−ＰＤＣＣＨの１３ビットの情報語に使用されるウォルシュマスク情報を送信する。しかしながら、ＭＡＣ＿ＩＤ８ビットがすべて“０”ではない場合、基地局１０は、１３ビットの情報語で送信されたＦ−ＰＤＣＨのための制御メッセージを送信する（例えば、パケットサイズ及び符号化率など）。従って、移動端末機２１、２２、及び２３は、Ｆ−ＰＤＣＣＨを復号する間に、いつもＭＡＣ＿ＩＤを検査し、ＭＡＣ＿ＩＤ８ビットが検査の結果としてすべて“０”であるかどうかに従って、異なる動作を遂行する。
【００１３】
このようなＦ−ＰＤＣＣＨを使用するＣＤＭＡ２０００ １ｘＥＶ−ＤＶで、Ｆ−ＰＤＣＣＨを受信する受信器の構成及び受信器の性能を検査するための一例を添付図を参照して説明する。
【００１４】
図３は、一般的なＣＤＭＡ２０００ １ｘＥＶ−ＤＶシステムにおいて、Ｆ−ＰＤＣＣＨ送信器及び受信器の構成を示す図である。
【００１５】
図３を参照すると、データが受信されると、二重ＣＲＣ付加器５１は、ＭＡＣ＿ＩＤ及び付加されるＣＲＣを用いて、受信されたデータの二重ＣＲＣ処理を遂行し、二重ＣＲＣ処理されたデータは、畳込み符号化器５２で符号化される。上記符号化されたシンボルは、シンボル反復及びパンクチュア５３でシンボル反復及びシンボルパンクチュアリングされ、チャンネルインターリーバ５４でチャンネルインターリービングされる。チャンネルインターリーバ５４は、多重経路フェージングチャンネル（Multi-path Fading Channel）により受信信号に発生するバーストエラー（Burst error）を分散させるのに使用される。インターリービングされたシンボルは、チャンネル環境８０を介して受信器に入力される。
【００１６】
上記受信器は、受信処理部６０と任意送信区間検出器７０とに大別される。受信処理部６０は、チャンネルデインターリーバ６１と、シンボル結合及びゼロ挿入器６２と、ビタビデコーダー６３と、ＣＲＣ／ＭＡＣ＿ＩＤ検査器６４と、を含む。チャンネルインターリーバ６１は、受信されたシンボルをデインターリービングする。すると、シンボル結合及びゼロ挿入器６２は、デインターリービングされたシンボルの入力を受けて、順方向データ制御チャンネルの送信のために遂行されるシンボル反復及びシンボルパンクチュアリング過程の逆過程を遂行する。ビタビ復号器６３は、畳込み符号化されたシンボルを復号化して制御メッセージを出力する。ＣＲＣ／ＭＡＣ＿ＩＤ検査器６４は、上記制御メッセージ内のＣＲＣ及びＭＡＣ＿ＩＤを検査する。
【００１７】
ＣＲＣ／ＭＡＣ＿ＩＤ検査器６４で順方向パケットデータ制御チャンネルを介した制御メッセージを検出する方式は、次のような２種類の方式にて大別されることができる。
【００１８】
一番目に、受信器は、ビタビデコーディングを介して復号化された１３ビットの情報語及び８ビットのＣＲＣ−ｃｏｖｅｒｅｄ ＭＡＣ＿ＩＤから、内部のＣＲＣを検出する。上記受信器は、ＣＲＣ検査の結果から情報語を検出することができる。
【００１９】
二番目に、受信器は、上記一番目の方式の結果を維持し、外部のＣＲＣを順次に検査する。上記受信器は、その検査の結果及びＭＡＣ＿ＩＤ間の比較の結果をすべて使用して情報語を検出することができる。
【００２０】
一方、ＣＤＭＡ２０００ １ｘＥＶ−ＤＶシステムは、高速のデータの送信の場合に、物理チャンネルの性能を改善するために、高速複合自動再送（Fast Hybrid Automatic Repeat Request；ＦＨＡＲＱ）方式を使用する。上記ＦＨＡＲＱ方式は、通常、Ｎ個のＡＲＱチャンネルを使用し、ＣＤＭＡ２０００ １ｘＥＶ−ＤＶシステムは、Ｎ＝４であるＦＨＡＲＱが規格として使用されている。図４Ａ乃至図４Ｃを参照して、Ｎ＝４であるＦＨＡＲＱの一例を説明する。ここで、Ａ、Ｂ、Ｃ、及びＤは、パケットデータを送信する移動端末機を意味する。
【００２１】
図４Ａに示すように、基地局、すなわち、送信器は、最大４個のＨＡＲＱ送信を連続的に遂行することができる。例えば、移動端末機Ａへ送信されたパケットが成功的に受信されたか否に無関係に、基地局は、その間の空いた送信区間に、最大３個の移動端末機Ｂ、Ｃ、及びＤのそれぞれに、新たなパケットを送信することができる。これを“Ｎ＝４ ＦＨＡＲＱ”と称し、このような送信方式を“ユーザダイバーシティー（User diversity）と称する。これは、チャンネル資源の効率性を最大に使用するための方式である。例えば、図４Ｂに示すように、パケットデータサービスを要求する複数のユーザが存在しない場合、基地局は、Ｆ−ＰＤＣＣＨの送信を中断し、空いた送信区間の間には、雑音のみが存在する。
【００２２】
例えば、図４Ｃに示すように、Ｎ＝４ ＦＨＡＲＱ方式で、基地局は、同一の１つの移動端末機Ａに４個の新たなパケットを連続的に送信することもできる。この場合、移動端末機Ａは、連続的にパケットを受信し、非動作区間（No Operation Interval；ＮＯＩ）の間に受信されたすべてのＦ−ＰＤＣＣＨは、移動端末機Ａのためのものとなる。図４Ａにおいて、移動端末機Ｂ及びＣに送信される区間である非動作区間、すなわち、移動端末機Ａの非動作区間（ＮＯＩ）の間に受信されたＦ−ＰＤＣＣＨは、移動端末機Ａに割り当てられたものではないので、移動端末機Ａは、何の動作も遂行されない点に留意すべきである。そして、各移動端末機は、いつも自身に割り当てられたＦ−ＰＤＣＣＨを受信して、送信規約に従って極限まで正確な動作を遂行しなければならない点に留意すべきである。図４Ｂにおいて、Ｆ−ＰＤＣＣＨ送信がない区間である移動端末機Ａの非動作区間の間に受信された雑音は何の意味もないので、移動端末機Ａは、Ｆ−ＰＤＣＣＨ受信器の動作を遂行してはならない点に留意すべきである。
【００２３】
ＣＤＭＡ２０００ １ｘＥＶ−ＤＶ規格に従うと、パケット送信のために、Ｆ−ＰＤＣＨを使用する移動端末機は、自身にＦ−ＰＤＣＣＨが割り当てられた場合にのみＦ−ＰＤＣＨ上のデータを復調する。上記復調の結果に基づいて、移動端末機は、逆方向チャンネルを介して応答（ＡＣＫ）信号、あるいは応答失敗（ＮＡＫ）信号を送信する。しかしながら、上記システムの実際の動作を考慮すると、移動端末機は、チャンネルに発生する雑音及び外乱によって、場合によりエラーを発生させる可能性がある。移動端末機は、次のような場合にエラーを発生させる。
【００２４】
一番目に、基地局により選択された移動端末機が、基地局により送信されたＦ−ＰＤＣＣＨを雑音又は外乱によって正確に受信することができない場合にエラーが発生する。この場合、移動端末機は、Ｆ−ＰＤＣＣＨエラーによってＦ−ＰＤＣＨが送信されるかどうかを認識することができないので、パケットを受信することができないか、あるいは、Ｆ−ＰＤＣＨを受信しても、移動端末機は、誤った制御メッセージによってＦ−ＰＤＣＨの復号に失敗し、結局、逆方向チャンネルを介してＮＡＫを送信する。しかしながら、この場合、１ｘＥＶ−ＤＶ規格で定義されたＨＡＲＱが要求されるので、基地局は、上記ＨＡＲＱを使用して問題を解決することができる。
【００２５】
二番目に、基地局により選択された移動端末機が、基地局により送信されたＦ−ＰＤＣＣＨを雑音又は外乱によって正確に受信することができず、特にＦ−ＰＤＣＣＨエラーによって、ＭＡＣ＿ＩＤをオールゼロ（All Zero）ＭＡＣ＿ＩＤ、すなわちウォルシュマスク更新情報と誤認する場合にエラーが発生する。この場合、移動端末機は、誤った情報によって自身のウォルシュマスクを変更する。従って、Ｆ−ＰＤＣＨを復号しても、ウォルシュ復調エラーによって大部分のＦ−ＰＤＣＨの復号エラーが発生する。従って、移動端末機は、逆方向チャンネルを介してＮＡＫを送信し、このようなイベントは、正確なウォルシュマスクが再度生成されない限り、継続して反復される。すなわち、移動端末機は、ＮＡＫを常に基地局へ送信する。このようなイベントは、一例を通じて図５に示される。図５を参照すると、移動端末機は、時間Ｔ１で発生したＦ−ＰＤＣＣＨの誤警報によって誤ったウォルシュマスクの更新を遂行し、時間Ｔ２まで、Ｆ−ＰＤＣＨエラーを継続して発生させる。
【００２６】
しかしながら、もっとも深刻な問題を発生させる二番目の場合において、基地局により選択された移動端末機は、基地局が新たなウォルシュマスク情報を送信しない限り、誤ったウォルシュマスク情報により、Ｆ−ＰＤＣＨ受信エラーを継続して発生させる。このようなイベントは、図４Ａ及び図４Ｂの場合に発生する可能性がある。従って、移動端末機の受信器は、Ｆ−ＰＤＣＣＨエラーによる誤ったウォルシュマスク情報を自分が診断し、これを訂正することができる機能を必要とする。
【００２７】
三番目に、基地局により選択されない移動端末機が、基地局により送信されたＦ−ＰＤＣＣＨを雑音や外乱により自身のものと誤認する場合にエラーが生じる。この場合に、移動端末機は、Ｆ−ＰＤＣＨが受信されたと誤認し、Ｆ−ＰＤＣＨを復号する。しかしながら、移動端末機は、復号に失敗し、逆方向チャンネルを介してＮＡＫを送信する。
【００２８】
四番目に、基地局により選択されない移動端末機が、基地局により送信されたＦ−ＰＤＣＣＨを雑音や外乱により自身のものと誤認し、特にＦ−ＰＤＣＣＨエラーによって、ＭＡＣ＿ＩＤをオールゼロＭＡＣ＿ＩＤ、すなわちウォルシュマスク更新情報と誤認する場合にエラーが発生する。この場合、移動端末機は、誤った情報によって自身のウォルシュマスクを変更する。従って、Ｆ−ＰＤＣＨを復号しても、ウォルシュ復調のエラーのために大部分のＦ−ＰＤＣＨに復号エラーが発生する。従って、移動端末機は、逆方向チャンネルを介してＮＡＫを送信し、このようなイベントは、ウォルシュマスクが再度更新されない限り、継続して反復される。すなわち、移動端末機は、ＮＡＫを基地局へ常に送信する。
【００２９】
このように、三番目及び四番目の場合は、順方向チャンネルでは、大きい問題にならない。なぜなら、基地局は、基地局により送信されたパケットを受信しなければならない移動端末機のＭＡＣ＿ＩＤを正確に認知しているので、基地局は、逆方向チャンネルを介して受信された移動端末機のＭＡＣ＿ＩＤを比較して、もし上記受信されたＭＡＣ＿ＩＤが自身の保有するＭＡＣ＿ＩＤと異なると、移動端末機から受信されたＮＡＫを無視し、何の動作も取らなくていいためである。しかしながら、指定されない移動端末機が、ＡＣＫ／ＮＡＫの逆方向送信のための逆方向ＡＣＫチャンネル（Reverse ACK Channel；Ｒ−ＡＣＫＣＨ）及びＣＩＲ送信のためのＲ−ＣＱＩＣＨ（Reverse Channel Quality Indicator Channel）を占有するという点は、逆方向チャンネル資源の不必要な占有、及び正常的な移動端末機のＲ−ＡＣＫＣＨへの干渉を引き起こし、これによって、指定された移動端末機のＲ−ＡＣＫＣＨ信号の品質を低下させる。
【００３０】
上述したように、ＣＤＭＡ２０００ １ｘＥＶ−ＤＶにおいて、移動端末機は、基地局が送信したＳＦＩを正確に判断しなければならず、基地局が送信したＳＦＩを判断した結果に対する信頼性尺度（Reliability Factor）検査を必ず遂行しなければならない。すなわち、移動端末機がＳＦＩを検出するとしても、正確な１３ビットの情報ビット及びＭＡＣ＿ＩＤを検出しなければならない。情報語が間違って受信された場合、移動端末機は、上述したような多くのエラーを有する。中でも、ＭＡＣ＿ＩＤにエラーが発生する場合、相当に深刻な問題を引き起こす。現在実現が考慮されているシステムにおいても、このような問題が十分に考慮されていない状況である。もちろん、このような問題を解決するための方法としてＣＲＣを使用しているが、これは、非動作区間（ＮＯＩ）では、ＭＡＣ＿ＩＤのエラーにより、同一のＭＡＣ＿ＩＤを用いて送信された連続的なパケットデータにすべてエラーが発生するので、上記受信機の動作の信頼性が低下する、という問題点がある。
【発明の開示】
【発明が解決しようとする課題】
【００３１】
上記背景に鑑みて、本発明の目的は、ＣＤＭＡシステムにおいて、パケットデータ制御チャンネルの誤警報確率（ＦＡＲ；False alarm rate）を減少させるための装置及び方法を提供することにある。
【００３２】
本発明の他の目的は、送信器がパケット送信を行う場合に、基地局により選択された移動端末機がパケットデータ制御チャンネルの受信エラーが原因で誤った制御メッセージ受信をすることによって発生する移動端末機の誤動作を防止するための、誤警報確率を減少させる装置及び方法を提供することにある。
【００３３】
本発明のさらなる目的は、基地局により選択されない移動端末機がパケットデータ制御チャンネルの受信エラーが原因で誤った制御メッセージを受信する場合に、移動端末機の誤動作による逆方向チャンネル資源の浪費及び干渉を防止するための、誤警報確率を減少させる装置及び方法を提供することにある。
【００３４】
本発明のもう一つの目的は、ウォルシュ更新情報の真偽をあらかじめ判断することによって、誤ったウォルシュマスク情報を除去し、正確なウォルシュマスク情報に転換する、誤警報確率を減少させる装置及び方法を提供することにある。
【課題を解決するための手段】
【００３５】
このような目的を達成するために、本発明の第１の特徴によれば、パケットデータを送信すると共に、上記パケットデータの送信に関連した制御情報を送信することができるパケットデータ制御チャンネルを有する移動通信システムにおけるパケットデータ制御チャンネル受信装置は、上記パケットデータ制御チャンネルを介して受信されたシンボルを復号し、復号された情報語及び上記情報語の復号確率値を出力するパケットデータ制御チャンネル復号部と、上記情報語の復号確率値をあらかじめ設定されたしきい値と比較して、上記比較の結果に従って復号有効性値を出力する誤警報減少部と、上記復号有効性値に従って上記情報語の出力をスイッチングするスイッチとを具備することを特徴とする。
【００３６】
本発明の第２の特徴によれば、パケットデータを送信すると共に、上記パケットデータの送信に関連した制御情報を送信することができるパケットデータ制御チャンネルを有する移動通信システムにおける上記パケットデータ制御チャンネルを受信する受信装置が、上記パケットデータ制御チャンネルの受信エラーを減少させるための方法は、上記パケットデータ制御チャンネルを介して受信されたシンボルを復号し、上記復号された情報語及び上記情報語の復号確率値を出力するステップと、上記情報語の復号確率値をあらかじめ設定されたしきい値と比較し、上記比較の結果に従って復号有効性値を出力するステップと、上記復号有効性値に従って上記情報語の出力をスイッチングするステップとを具備することを特徴とする。
【発明の効果】
【００３７】
本発明は、順方向パケット制御チャンネルの復号結果の真偽をあらかじめ判断する誤警報減少部を備え、誤警報減少部から生成されたビタビ復号値に従って、パケットデータ制御チャンネルに対する誤警報を発生させることによって、誤警報確率を減少させる。従って、移動端末機の誤動作による逆方向チャンネル資源の浪費及び干渉を防止することができる。また、雑音チャンネル区間又は他のユーザがサービスを受ける区間で、ＭＡＣ＿ＩＤエラーによるウォルシュマスク更新エラーを減少させ、これによって、移動端末機のバッテリー電力の消耗を節約し、逆方向チャンネル容量を増大させる、という効果がある。
【発明を実施するための最良の形態】
【００３８】
以下、本発明の好適な一実施例を添付図面を参照しつつ詳細に説明する。下記の説明において、本発明の要旨のみを明瞭にする目的で、関連した公知の機能又は構成に関する具体的な説明は省略する。
【００３９】
本発明は、同期方式のＣＤＭＡ移動通信システムであるＣＤＭＡ２０００  １ｘ Ｒｅｖ．Ｃ（以下、１ｘＥＶ−ＤＶ（First Evolution-Data and Voice）と称する）で使用された物理チャンネルに関する。本発明の実施形態が上記ＣＤＭＡ２０００ １ｘ Ｒｅｖ．Ｃにのみ限定されるものではなく、非同期方式の広帯域ＣＤＭＡ（ＷＣＤＭＡ）の高速下りリンクパケットアクセス（High Speed Downlink Packet Access;ＨＳＤＰＡ）で使用された送信制御チャンネルにも適用されることができることに留意すべきである。また、本発明の実施形態は、既存の因子以外にも追加送信区間決定情報を使用する。本発明の実施形態は、ビタビデコーダのメトリック差である最大尤度状態のメトリック差（Metric Difference of Maximum-likelihood State；以下、ＭＤ＿ＭＬＳと称する）を使用して、任意送信区間検出（Blind Slot Format Detection；ＢＳＦＤ）の性能を改善する。
【００４０】
図６は、本発明の実施形態によるＣＤＭＡ２０００ １ｘＥＶ−ＤＶシステムにおける順方向パケットデータ制御チャンネル（Forward Packet data control channel；以下、Ｆ−ＰＤＣＣＨと称する）受信器の構成を示す図である。図６を参照すると、Ｆ−ＰＤＣＣＨ受信器は、ＭＤ＿ＭＬＳを用いて任意送信区間を検出する。Ｆ−ＰＤＣＣＨ受信器は、それぞれの送信区間に従って受信されたシンボルをビタビ復号するＭＤ＿ＭＬＳを計算するためのビタビ復号部１１０と、上記計算されたＭＤ＿ＭＬＳに基づいて、任意送信区間を検出するための任意送信区間検出器１３０とを備える。そして、Ｆ−ＰＤＣＣＨ受信器は、ビタビ復号部１１０から出力された復号された２９ビットの情報語（29 decoded bits）に対するＣＲＣ検査を遂行するためのＣＲＣ検査部１２０を備える。
【００４１】
ビタビ復号部１１０は、受信されたシンボルをビタビ復号するビタビ復号器１１１と、ＭＤ＿ＭＬＳを計算するＭＤ＿ＭＬＳ計算器１１２とから構成される。ＭＤ＿ＭＬＳ計算器１１２は、それぞれの送信区間情報（Slot Format Information；以下、ＳＦＩと称する）（Ｎ＝１、２、４）で復号する度に、最大尤度状態（Maximum likelihood State）であるゼロ状態（Zero State）へ入力される２つの経路メトリック（Path metrics）間の差の絶対値を示すＭＤ＿ＭＬＳを計算する。ここで、ＭＤ＿ＭＬＳ計算器１１２は、Ｎ＝１ ＳＦＩ、Ｎ＝２ ＳＦＩ、及びＮ＝４ ＳＦＩのそれぞれに対して、ＭＤ＿ＭＬＳ＿１、ＭＤ＿ＭＬＳ＿２、及びＭＤ＿ＭＬＳ＿４を出力する。ここで、上記２つの経路メトリックは、フレームの最後段で、ゼロ状態に合流する生存経路メトリック、及び競争経路メトリックを意味する。ここで、ＭＤ＿ＭＬＳ計算器１１２がビタビ復号器１１１と区分されているが、本発明の実施形態において、ＭＤ＿ＭＬＳ計算器１１２は、ビタビ復号器１１１内に含まれることができることに留意すべきである。そして、ビタビ復号器は、異なる種類の復号器を使用することもできる。
【００４２】
ＣＲＣ検査部１２０は、内部ＣＲＣ検査器１２１と外部ＣＲＣ検査器１２２とから構成される。ＣＲＣ検査部１２０は、内部ＣＲＣ及び外部ＣＲＣに対するＣＲＣ検査を遂行して、そのＣＲＣ検査の結果をＢＳＦＤ検出器１３０へ送信する。内部ＣＲＣ検査器１２１は、ビタビ復号器１１１から出力された２９ビットの復号されたビットの情報語Ａに対するＣＲＣ検査を遂行し、外部ＣＲＣ検査器１２２は、ビタビ復号器１１１から出力された２１ビットの復号されたビットの情報語Ｂに対するＣＲＣ検査を遂行する。ここで、ビタビ復号器１１１から出力された情報語のうち、１３ビットの情報語Ｃは、制御メッセージとして出力される。また、外部ＣＲＣ検査器１２２は、媒体アクセス制御レイヤー識別子（Medium Access Control layer Identification；以下、ＭＡＣ＿ＩＤと称する）検査を同時に遂行することができる。
【００４３】
ＢＳＦＤ検出器１３０は、上記ＭＡＣ＿ＩＤが受信された内部ＣＲＣ、外部ＣＲＣ、及びＭＤ＿ＭＬＳ情報から、正確なＳＦＩと、ＭＡＣ＿ＩＤが“０”であるか否かとを判断し、復号されたＦ−ＰＤＣＣＨの１３ビットの情報語Ｃを確認する。
【００４４】
このような構成を有するＦ−ＰＤＣＣＨ受信器で、生存経路と競争経路との間の経路メトリック（Path metric）差を計算する方法について図７を参照して説明する。
【００４５】
図７に示すように、ビタビ復号部１１０は、すべての符号語がゼロ状態完了（Zero State Termination）により、トレリス（Trellis）上でゼロ状態にいつも合流するので、ゼロ状態のみを考慮する。ビタビ復号部１１０は、フレームの最後段でゼロ状態に合流する生存経路と競争経路との間の経路メトリック差を計算する。上記計算された経路メトリック差の絶対値ＭＤ＿ＭＬＳは、受信信号の信号対雑音比（Signal-to-Noise Ratio；ＳＮＲ）が増加するほど、その値が増加する。そして、上記ＭＤ＿ＭＬＳは、受信信号のＳＮＲが減少するほど、その値が減少する。上記ＭＤ＿ＭＬＳは、これについての内容を記述した論文著者ヤマモト（Ｙａｍａｍｏｔｏ）をたたえるために、“Ｙａｍａｍｏｔｏ Ｑｕａｌｉｔｙ Ｄｉｆｆｅｒｅｎｃｅ”とも称する。
【００４６】
このような理由で、ビタビ復号部１１０を使用するシステムは、ＭＤ＿ＭＬＳを用いてエラーを検出することができる。例えば、ＭＤ＿ＭＬＳの値が特定のしきい値よりも小さい場合、ビタビ復号部１１０は、自身の復号結果が誤ったことを示す信号（又は警報）を出力することによって、エラーを検出することができる。これは、当該技術分野における通常の知識を有する者にはよく知られている内容であるので、具体的な説明は省略する。
【００４７】
２つの経路のメトリック間の差を用いたビタビ復号器を有する移動通信システムのＦ−ＰＤＣＣＨ受信器でエラーを検出する方法について説明すると、次の通りである。
【００４８】
例えば、図７に示すように、任意のトレリス上の１つの状態（または、ノード）に合流する経路は、上述したように、生存経路と競争経路とに区分される。このとき、各経路に該当する経路メトリックをλ（ｘ）とすると、上記２つの経路メトリック間の差から信頼度関数（Reliability function）が定義され、上記信頼度関数は、しきい値Ａによりその値が変化する。これを次のような式で示す。
【００４９】
【数１】
2007507974.tif 000003
【００５０】
式（１）において、“Ａ”は、正の値を有する定数を示し、復号器の検出確率を決定する値であり、“Ａ”の値が大きいほど、エラーの検出確率は増加するが、エラーの訂正能力は減少する。従って、使用中のシステムに従って、最適の‘Ａ’を決定しなければならない。このような方法は、符号率が１／ｂであるブロック畳込み符号を使用するシステムにおいて考慮されなければならず、これについて説明すると、次の通りである。
【００５１】
送信器が送信した情報語をＩとし、その長さをＬとし、これに対応する符号語をＣとする。そして、上記符号語を反対シグナリング（Antipodal signaling）（０／１又は＋ｍ／−ｍ）によって送信されたシーケンスをＸとする。ここで、“ｍ”は、送信シンボルの大きさを示す。チャンネル上に存在する加法性白色ガウス雑音（Additive White Gaussian Noise；ＡＷＧＮ）をＮとすると、受信器が受信するシーケンスＹは、Ｙ＝Ｘ＋Ｎとなる。上記符号語及びシーケンスをそれぞれ示すと、式（２）乃至式（６）の通りである。式（２）乃至式（６）において、｛Ｒ｝は、実数の集合を示し、受信された信号は、可能なすべての実数値を有する。
【００５２】
【数２】
2007507974.tif 000004
【００５３】
【数３】
2007507974.tif 000005
【００５４】
【数４】
2007507974.tif 000006
【００５５】
【数５】
2007507974.tif 000007
【００５６】
【数６】
2007507974.tif 000008
【００５７】
従って、ビタビ復号部１１０は、受信されたシーケンスＹから最大尤度のシーケンスＣを検出しなければならない。このために、ビタビ復号部１１０は、経路メトリックを計算し、計算の結果を累積しながら、全体のフレーム、あるいはブロックサイズに該当する経路に沿って進行して、最大尤度経路を検索して決定する。このような経路メトリックを計算する方法について、添付図を参照して詳細に説明する。
【００５８】
図８は、本発明の実施形態によるビタビ復号部が経路メトリック及びＭＤ＿ＭＬＳを計算する方法を示す図である。
【００５９】
図８を参照すると、ＭＤ＿ＭＬＳを計算するために、まず、ビタビ復号部１１０は、一番目のブランチから最後の（Ｌ−１）番目のブランチまでのすべての経路メトリックを保存する。これは、中間過程で、正規化によって経路メトリックの絶対値が変化すると、情報語の長さＬに従って、誤った信頼度関数値を提供するためである。従って、正規化が必要である場合に、正規化値を後で補償する必要があり、このために、正規化した値を保存しなければならない。ここで、正規化した値を保存するためには、一種類の正規化定数スケーリング係数（Scaling factor）を用いる。
【００６０】
次いで、Ｌ番目のブランチのゼロ状態、すなわち、最大尤度状態（Maximum likelihood State；ＭＬＳ）で生存経路と競争経路との間の経路メトリックを計算する。ここで、上記生存経路及び競争経路の経路メトリックをそれぞれ式で示すと、式（７）及び式（８）の通りである。
【００６１】
【数７】
2007507974.tif 000009
【００６２】
【数８】
2007507974.tif 000010
【００６３】
従って、ＭＤ＿ＭＬＳは、上記生存経路及び競争経路の経路メトリック差の絶対値で計算され、これを示すと、式（９）の通りである。
【００６４】
【数９】
2007507974.tif 000011
【００６５】
図４Ａ乃至図４Ｃを参照して、図３のＦＨＡＲＱ送受信器がＡＣＫ／ＮＡＫを連続的に／不連続的に送信する場合の、ＭＤ＿ＭＬＳの大きさの変化について説明する。
【００６６】
図１及び図４Ａを参照すると、移動端末機Ａ（２１）へ送信されるＦ−ＰＤＣＣＨがない非動作区間（ＮＯＩ）の間、移動端末機Ａ（２１）がＦ−ＰＤＣＣＨをモニタリングしている場合に、受信ＳＮＲは、非常に低くなる。このような状況は、実際に、移動端末機Ａ（２１）がパケット送信を基地局１０に要請したけれど、基地局１０が他の移動端末機をサービスしているため、スケジューリングによって、所定の時点まで移動端末機Ａ（２１）にサービスしない場合に発生し得る。これは、実際に、移動端末機Ａ（２１）へ送信されるデータではないので、上記受信データのＦ−ＰＤＣＣＨのＳＦＩは、移動端末機Ａ（２１）に割り当てられたＦ−ＰＤＣＣＨのＳＦＩと一致せず、Ｆ−ＰＤＣＣＨの時間的整合（Time alignment）が合わないので、上記受信データは、エラーの発生確率が１／２であるランダムデータと認識される。従って、上記ＳＮＲが非常に低いチャンネル環境を通して受信されたデータと見なされ、ＭＤ＿ＭＬＳデータは、相当に小さい値を有する。
【００６７】
また、図１及び図４Ｂを参照すると、基地局１０が何のＦ−ＰＤＣＣＨも送信せず待機する状態で、移動端末機Ａ（２１）がＦ−ＰＤＣＣＨを受信する場合、受信ＳＮＲは非常に低くなる。このような状況は、移動端末機Ａ（２１）がパケット送信を基地局１０に要請した状態で、基地局１０がスケジューリングによって、任意の時点まで移動端末機Ａ（２１）にサービスしない場合に発生し得る。すなわち、移動端末機Ａ（２１）の受信器が雑音を受信してビタビ復号するので、受信シンボルのエラー確率が１／２に近接する。この場合、大部分のデータは、復号に失敗する。従って、ＭＤ＿ＭＬＳは、非常に小さい値を有する。
【００６８】
一方、図１及び図４Ｃを参照すると、一般的に、Ｆ−ＰＤＣＣＨが移動端末機Ａ（２１）に割り当てられると、受信されたＦ−ＰＤＣＣＨ信号のＳＮＲは、非常に高い。この場合、受信シンボルのエラー確率は、通常、０．００１よりも小さい。特に、パケットデータ制御チャンネルの電力を一般的に非常に高く設定するので、実際、基地局の総送信電力の２５％程度まで割当てが可能であり、受信ＳＮＲは、非常に高くなる。従って、ＭＤ＿ＭＬＳは、非常に大きい値を有する。
【００６９】
上述したような特徴に従って、移動通信システムの性能を改善するために、Ｆ−ＰＤＣＣＨエラーの発生を示す警報確率、すなわち、誤警報確率（False Alarm Rate）を減少させる方法について添付図を参照して説明する。
【００７０】
図９は、本発明の実施形態によるＭＤ＿ＭＬＳを用いる誤警報減少機能を有する受信器の構成を示す図である。
【００７１】
図９を参照すると、Ｆ−ＰＤＣＨ受信器は、受信されたシンボルをビタビ復号し、ＭＤ＿ＭＬＳを計算するビタビ復号部１１０と、任意送信区間を検出して、送信区間情報（ＳＦＩ）及びＭＡＣ＿ＩＤを出力するＢＳＦＤ検出器１３０と、誤警報を知らせるための情報を含むビタビ復号値（ＶＡＬＩＤ＿ＶＩＴＥＲＢＩ＿ＤＥＣＯＤＩＮＧ（１／０））を出力する誤警報減少部（False Alarm Reduction Function；ＦＡＲF）１４０とを備える。そして、上記Ｆ−ＰＤＣＨ受信器は、ＢＳＦＤ検出器１３０に接続されると共に、上記ビタビ復号値に従って、上記ＢＳＦＤの検出結果を出力するスイッチ１５０を備える。ここで、誤警報減少部１４０は、ＢＳＦＤ検出器１３０の内部の機能ブロック、あるいは、外部の機能ブロックとして使用されることができる。
【００７２】
誤警報減少部１４０は、ＢＳＦＤ検出器１３０の検出の結果が有効であるか否かを決定し、上記決定の結果に従ってスイッチ１５０を制御する。説明の便宜上、ＢＳＦＤ検出器１３０に接続されて、上記任意送信区間の検出の結果を送信するための図６の内部のＣＲＣ検査器１２１及び外部のＣＲＣ検査器１２２は、図９に示されていない。誤警報減少部１４０の詳細な説明については、添付図を参照して説明する。
【００７３】
図１０は、本発明の実施形態によるＦ−ＰＤＣＣＨ受信器における誤警報減少部の詳細な構成を示す図である。図１０を参照すると、誤警報減少部１４０は、ビタビ復号部１１０から受信されたＭＤ＿ＭＬＳ＿１、ＭＤ＿ＭＬＳ＿２、及びＭＤ＿ＭＬＳ＿４をあらかじめ設定されたそれぞれのしきい値と比較する比較器１４１、１４２、１４３と、比較器１４１、１４２、１４３から出力された比較結果に基づいて、それぞれの誤警報を測定する誤警報測定器１４５とを含む。
【００７４】
ビタビ復号部１１０は、経路メトリック計算を通じて得られたＭＤ＿ＭＬＳ＿１、ＭＤ＿ＭＬＳ＿２、ＭＤ＿ＭＬＳ＿４を誤警報減少部１４０へ送信する。すると、誤警報減少部１４０は、ＭＤ＿ＭＬＳ＿１、ＭＤ＿ＭＬＳ＿２、ＭＤ＿ＭＬＳ＿４をあらかじめ設定されたしきい値ＭＤＴＨ１、ＭＤＴＨ２、ＭＤＴＨ４と比較して、上記比較の結果であるＩＤ１、ＩＤ２、ＩＤ４を誤警報測定器１４５へ送信する。ここで、上記あらかじめ設定されたしきい値は、実験を通じてあらかじめ決定される。そして、説明の便宜上、ＩＤ１の値は、ＭＤ＿ＭＬＳ＿１の値がＭＤＴＨ１よりも大きいか、あるいは同一な場合に、“１”に設定される。また、ＩＤ２及びＩＤ４も同一な方式にて設定される。上記しきい値ＭＤ＿ＭＬＳ＿１、ＭＤ＿ＭＬＳ＿２、ＭＤ＿ＭＬＳ＿４は、外部制御器、あるいは、システムの制御下で、誤警報減少部１４０にあらかじめ保存されるか、あるいは、適応的に変更されることができる。説明の便宜上、しきい値ＭＤＴＨ１、ＭＤＴＨ２、ＭＤＴＨ４が誤警報減少部１４０にあらかじめ保存されていると見なされる。
【００７５】
誤警報測定器１４５は、システムが定義する判定方法により決定された回路やルックアップテーブルを使用して、ＩＤ１、ＩＤ２、及びＩＤ４情報の組合せを通じて、ビタビ復号値に対する信号を最終的に出力する。例えば、誤警報を減少させる方法として、式（１０）のような判定式を使用することができる。
【００７６】
【数１０】
2007507974.tif 000012
【００７７】
式（１０）において、ビタビ復号値が“０”に設定（ＶＡＬＩＤ＿ＶＩＴＥＲＢＩ＿ＤＥＣＯＤＩＮＧ＝“０”）されると、現在のビタビ復号された結果が有効ではないことを意味する。従って、上記ビタビ復号値信号は、現在のＦ−ＰＤＣＣＨから出力された１３ビットの情報語、あるいはＭＡＣ＿ＩＤ＝“０”である情報が有効であるかどうかを示す信号である。例えば、上記ビタビ復号値が“０”である場合、上記ビタビ復号出力がエラーを含むことを示す。しかしながら、上記ビタビ復号値が“１”である場合、上記ビタビ復号出力が正確であることを示す。このとき、上記Ｆ−ＰＤＣＣＨ受信器は、ビタビ復号値に従って検出されたＢＳＦＤ検出器１３０の検出の結果を出力する。すなわち、スイッチ１５０は、上記ビタビ復号値に従ってＢＳＦＤ検出器１３０の検出の結果を選択的に出力し、これによって、誤警報確率を減少させる。
【００７８】
このようなＭＤ＿ＭＬＳ及び誤警報機能を使用するＦ−ＰＤＣＣＨ受信器の動作について、添付図を参照して説明する。
【００７９】
図１１は、本発明の実施形態によるＦ−ＰＤＣＣＨ受信器の動作を示すフローチャートである。図１１を参照すると、ステップ１００１で、Ｆ−ＰＤＣＣＨ受信器は、しきい値ＭＤＴＨ１、ＭＤＴＨ２、ＭＤＴＨ４を初期化する。ステップ１００２で、Ｆ−ＰＤＣＨ受信器は、ビタビ復号を遂行し、復号された結果を使用して、２９ビットのデータ及びＭＤ＿ＭＬＳ＿１、ＭＤ＿ＭＬＳ＿２、ＭＤ＿ＭＬＳ＿４を計算する。
【００８０】
次いで、ステップ１００３で、Ｆ−ＰＤＣＣＨ受信器は、内部ＣＲＣ検査器１２１及び外部ＣＲＣ検査器１２２を使用してＣＲＣ検査を遂行する。ステップ１００４で、Ｆ−ＰＤＣＣＨ受信器は、ＢＳＦＤ検出器１３０を使用してＢＳＦＤアルゴリズムを遂行して、ＳＦＩ及びＭＡＣ＿ＩＤを検出する。
【００８１】
ステップ１００５で、Ｆ−ＰＤＣＣＨ受信器は、ビタビ復号部１１０からＭＤ＿ＭＬＳ＿１、ＭＤ＿ＭＬＳ＿２、ＭＤ＿ＭＬＳ＿４を受信する。その後、Ｆ−ＰＤＣＣＨ受信器は、上記ＭＤ＿ＭＬＳ＿１、ＭＤ＿ＭＬＳ＿２、ＭＤ＿ＭＬＳ＿４を上記しきい値ＭＤＴＨ１、ＭＤＴＨ２、ＭＤＴＨ４と比較して、その比較の結果としてＩＤ１、ＩＤ２、ＩＤ４を出力する。特に、このようなステップを具体的にさらに説明すると、ステップ１００６で、Ｆ−ＰＤＣＣＨ受信器は、ビタビ復号部１１０から出力されたＭＤ＿ＭＬＳ＿１がしきい値ＭＤＴＨ１よりも小さいかどうかを判断する。上記ＭＤ＿ＭＬＳ＿１が上記ＭＤＴＨ１よりも小さい場合、Ｆ−ＰＤＣＣＨ受信器は、ステップ１００７で、上記ＭＤ＿ＭＬＳ＿２をしきい値ＭＤＴＨ２と比較する。このとき、ＭＤ＿ＭＬＳ＿２がしきい値ＭＤＴＨ２よりも小さい場合、ステップ１００８で、Ｆ−ＰＤＣＣＨ受信器は、上記ＭＤ＿ＭＬＳ＿４をしきい値ＭＤＴＨ４と比較する。上記ＭＤ＿ＭＬＳ＿４がしきい値ＭＤＴＨ４よりも小さい場合、最大尤度経路と比較される異なる経路間の差、すなわち、生存経路と競争経路との間の差が小さいので、最大尤度経路を把握し難い。結果的に、順方向パケットデータ制御チャンネルを正確に復号することが難しい。従って、ステップ１００９で、Ｆ−ＰＤＣＣＨ受信器は、ビタビ復号値を“０” に設定して、ステップ１０１０で、Ｆ−ＰＤＣＣＨの復号失敗を知らせた後、動作を終了する。
【００８２】
しかしながら、ステップ１００６乃至ステップ１００８で、ＭＤ＿ＭＬＳ＿１、ＭＤ＿ＭＬＳ＿２、及びＭＤ＿ＭＬＳ＿４が各しきい値ＭＤＴＨ１、ＭＤＴＨ２、及びＭＤＴＨ４よりも大きいか、あるいは、同一であると判断される場合、経路メトリック差が大きいので、最大尤度経路を把握することができる。その結果、順方向パケットデータ制御チャンネルを正確に復号することができる。従って、ステップ１０２０で、Ｆ−ＰＤＣＣＨ受信器は、ビタビ復号値を“１”（ＶＡＬＩＤ＿ＶＩＴＥＲＢＩ＿ＤＥＣＯＤＩＮＧ＝“１”）に設定して、ステップ１０２１で、ＳＦＩ及びＭＡＣ＿ＩＤを出力した後、動作を終了する。
【００８３】
ステップ１００６乃至ステップ１００８の動作において、Ｆ−ＰＤＣＣＨ受信器の誤警報減少部１４０は、ビタビ復号部１１０で計算されたＭＤ＿ＭＬＳ＿１、ＭＤ＿ＭＬＳ＿２、ＭＤ＿ＭＬＳ＿４をしきい値ＭＤＴＨ１、ＭＤＴＨ２、ＭＤＴＨ４と比較した後、ＭＤ＿ＭＬＳ＿１、ＭＤ＿ＭＬＳ＿２、ＭＤ＿ＭＬＳ＿４のそれぞれに対して、ＩＤ１、ＩＤ２、ＩＤ４を出力する。このとき、誤警報減少部１４０から出力されたＩＤは、“０”又は“１”の値を有する。すると、誤警報測定器１４５は、ＩＤ１=“０”、ＩＤ２=“０”、及びＩＤ４=“０”である場合、ビタビ復号値“０”を出力し、一方、誤警報測定器１４５は、ビタビ復号値“１”を出力する。しかしながら、誤警報測定器１４５の判定方式は、ユーザ又はシステムによって異なって設定されることができ、本発明の実施形態は、このような判定方式を誤警報測定器１４５を使用してあらかじめ遂行し、これによって、受信された順方向パケットデータ制御チャンネルの誤警報確率を減少させることができる。
【００８４】
上述したように、基地局により選択された移動端末機は、基地局により送信されたＦ−ＰＤＣＣＨを雑音や外乱によって正確に受信することができず、特に、Ｆ−ＰＤＣＣＨエラーによって、ＭＡＣ＿ＩＤをオールゼロＭＡＣ＿ＩＤ 、すなわち、ウォルシュマスク更新情報と誤認する。従って、上記誤警報減少部は、ビタビ復号値を“０”に設定し、ウォルシュマスク更新情報が無効であることを示す信号を出力することによって、移動端末機の誤動作を防止することができる。
【００８５】
以上、本発明の詳細について具体的な実施形態に基づき説明してきたが、本発明の範囲を逸脱しない限り、各種の変形が可能なのは明らかである。従って、本発明の範囲は、上記実施形態に限定されるものではなく、特許請求の範囲の記載及び該記載と同等なものにより定められるべきである。
【図面の簡単な説明】
【００８６】
【図１】ＣＤＭＡ２０００ １ｘＥＶ−ＤＶシステムの構成を示す図である。
【図２】従来技術によるＣＤＭＡ２０００ １ｘＥＶ−ＤＶシステムにおける順方向パケットデータ制御チャンネルの構成を示す図である。
【図３】従来技術によるＣＤＭＡ２０００ １ｘＥＶ−ＤＶシステムにおける順方向パケットデータ制御チャンネルの受信器の構成を示す図である。
【図４Ａ】従来技術によるＣＤＭＡ２０００ １ｘＥＶ−ＤＶシステムにおける高速複合再送（ＦＨＡＲＱ）方式に対する一例を示す図である。
【図４Ｂ】従来技術によるＣＤＭＡ２０００ １ｘＥＶ−ＤＶシステムにおける高速複合再送（ＦＨＡＲＱ）方式に対する一例を示す図である。
【図４Ｃ】従来技術によるＣＤＭＡ２０００ １ｘＥＶ−ＤＶシステムにおける高速複合再送（ＦＨＡＲＱ）方式に対する一例を示す図である。
【図５】従来技術によるＣＤＭＡ２０００ １ｘＥＶ−ＤＶシステムにおけるＦ−ＰＤＣＣＨエラーによるパケットデータチャンネルでエラーが発生する一例を示す図である。
【図６】本発明の実施形態によるＣＤＭＡ２０００ １ｘＥＶ−ＤＶシステムにおけるＦ−ＰＤＣＣＨ受信器の構成を示す図である。
【図７】本発明の実施形態によるビタビ復号部での経路メトリック計算及び比較に対する一例を示す図である。
【図８】本発明の実施形態によるビタビ復号部が経路メトリック及びＭＤ＿ＭＬＳを計算する一例を示す図である。
【図１０】本発明の実施形態によるＦ−ＰＤＣＣＨ受信器における誤警報減少部の詳細な構成を示す図である。
【図１１】本発明の実施形態によるＦ−ＰＤＣＣＨ受信器の動作を示す図である。
【符号の説明】
【００８７】
１０    基地局（base station；ＢＳ）
２１、２２、２３    移動端末機（Mobile Station；ＭＳ）
３１    加算器
３２    ＭＡＣ＿ＩＤ結合器
３３    ＣＲＣ付加器
３４    テールビット付加器
３５    畳込み符号化器
３６    シンボル反復器
３７    シンボルパンクチュア
３８    ブロックインターリーバ
３９    信号点マッパー（mapper）
４０    チャンネル利得器
４１    オフセット値選択器
５１    二重ＣＲＣ付加器
５２    畳込み符号化器
５３    シンボル反復及びパンクチュア
５４    チャンネルインターリーバ
６０    受信処理部
６１    チャンネルデインターリーバ
６２    シンボル結合及びゼロ挿入器
６３    ビタビデコーダー
６４    ＣＲＣ／ＭＡＣ＿ＩＤ検査器
７０    任意送信区間検出器
８０    チャンネル環境
１１０    ビタビ復号部
１１１    ビタビ復号器
１１２    ＭＤ＿ＭＬＳ計算器
１２０    ＣＲＣ検査部
１２１    内部ＣＲＣ検査器
１２２    外部ＣＲＣ検査器
１３０    任意送信区間検出器（ＢＳＦＤ検出器）
１４０    誤警報減少部（False Alarm Reduction Function；ＦＡＲF）
１４１、１４２、１４３    比較器
１４５    誤警報測定器
１５０    スイッチ
【図１】
2007507974.tif 000015
【図２】
2007507974.tif 000016
【図３】
2007507974.tif 000017
【図４Ａ】
2007507974.tif 000018
【図４Ｂ】
2007507974.tif 000019
【図４Ｃ】
2007507974.tif 000020
【図５】
2007507974.tif 000021
【図６】
2007507974.tif 000022
【図７】
2007507974.tif 000023
【図８】
2007507974.tif 000024
【図９】
2007507974.tif 000025
【図１０】
2007507974.tif 000026
【図１１】
2007507974.tif 000027
【国際調査報告】
2007507974.tif 000028
2007507974.tif 000029